(57)【要約】【課題】受信したＱＡＭ方式及びＯＦＤＭ方式どちらでも復調が可能となるデジタル変調受信装置を小規模回路の追加にて実現する。【解決手段】複数の方式のデジタル変調信号を受信する装置において、復調信号切替部と、該復調信号切替部を制御する同期捕捉部と、前記デジタル変調信号の方式ごとにデジタル変調信号と同期を確立する同期処理部と同期処理後のデジタル変調信号を復調するデジタル変調復調部とを有し、前記同期処理部にて同期捕捉フラグを抽出し、前記同期捕捉部で前記同期捕捉フラグにより前記復調信号切替部を制御し、同期を確立し復調が成立した方式のデジタル変調信号の復調信号をデコードすることを特徴とするデジタル変調信号受信装置。【選択図】図１
2008103853.tif 000002
【特許請求の範囲】
【請求項１】
複数の方式のデジタル変調信号を受信する装置において、復調信号切替部と、該復調信号切替部を制御する同期捕捉部と、前記デジタル変調信号の方式ごとにデジタル変調信号と同期を確立する同期処理部と同期処理後のデジタル変調信号を復調するデジタル変調復調部とを有し、前記同期処理部にて同期捕捉フラグを抽出し、前記同期捕捉部で前記同期捕捉フラグにより前記復調信号切替部を制御し、同期を確立し復調が成立した方式のデジタル変調信号の復調信号をデコードすることを特徴とするデジタル変調信号受信装置。
【発明の詳細な説明】
【技術分野】
【０００１】
本発明は、映像やデータをデジタル信号化し伝送するディジタル変調復調を行う伝送装置に関する。
【背景技術】
【０００２】
映像や音声信号の無線伝送には、数年前はアナログＦＭによる方法で映像や音声を伝送していたが、近年、ＱＡＭ（Ｑｕａｄｒａｔｕｒｅ  Ａｍｐｌｉｔｕｄｅ  Ｍｏｄｕｌａｔｉｏｎ）及びＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）方式などによるデジタル伝送方式が用いられるようになっている。デジタル伝送システムの全体構成を示すブロック図を図３に、従来技術による受信装置の復調部の構成を示すブロック図を図２に示す。
【０００３】
伝送システムの全体構成を示すブロック図の図３において、映像信号はＭＰＥＧエンコーダ１１でＴＳ信号となり、ＤＶＢエンコーダ１２でＤＶＢｅ信号となり、変調部１３でＱＡＭ方式またはＯＦＤＭ方式にてデジタル変調されＤｍｏｄ信号となり、送信部１４から送信アンテナ１５から送信され、伝送路Ｗ１を介し、受信アンテナ１６に到達する。受信装置の受信部１７でＤｄｅｍ信号となり、復調部１８にてＤＶＢｒ信号となり、ＤＶＢデコーダ１９でＴＳｒ信号となり、ＭＰＥＧデコーダ２０で映像信号となる。
【０００４】
従来技術による受信装置の復調部の構成を示すブロック図の図２において、受信装置の復調部１８に入力したＱＡＭ方式又はＯＦＤＭ方式のＤｄｅｍ信号が、ＱＡＭ同期処理部８、ＱＡＭ復調部２及び、ＯＦＤＭ同期処理部９、ＯＦＤＭ復調部４に各々に入力される。Ｄｄｅｍ信号は各々の同期処理部に同時に入力されるが、Ｄｄｅｍ信号の方式と異なる同期処理部に入力された信号は、同期捕捉不可能であるので、必然的に復調も不可となる。
【０００５】
従来は、制御部７でＯＦＤＭ復調信号をまず選択しておき、ＯＦＤＭ復調不可なら制御部７で復調信号切替部６を制御して、ＱＡＭ復調信号を選択して次のデコーダに出力し映像信号としていた。ＯＦＤＭの変調モードは識別されて復調されていた。（特許文献１参照）
【特許文献１】特開２００５−２６９２７４
【発明の開示】
【発明が解決しようとする課題】
【０００６】
映像や音声信号の無線伝送システムでは、その特性から送信点と受信点は離れている。そのような状況下で、受信側にて、ＱＡＭ方式またはＯＦＤＭ方式を判別して復調する必要がある。該課題は、デジタル変調方式の自動判別部を搭載することで解決できるが、回路規模が拡大する。
【０００７】
本発明では、ＱＡＭ方式及びＯＦＤＭ方式どちらでも復調が可能となるデジタル変調受信装置を小規模回路の追加にて実現する事を目的とする。
【課題を解決するための手段】
【０００８】
本発明は、上記課題を解決するため、複数の方式のデジタル変調信号を受信する装置において、復調信号切替部と、該復調信号切替部を制御する同期捕捉部と、前記デジタル変調信号の方式ごとにデジタル変調信号と同期を確立する同期処理部と同期処理後のデジタル変調信号を復調するデジタル変調復調部とを有し、前記同期処理部にて同期捕捉フラグを抽出し、前記同期捕捉部で前記同期捕捉フラグにより前記復調信号切替部を制御し、同期を確立し復調が成立した方式のデジタル変調信号の復調信号をデコードする。
【発明の効果】
【０００９】
以上説明したように本発明によれば、デジタル変調信号受信装置の復調部の同期処理部にて同期捕捉フラグを抽出し、復調信号切替部を制御する事により、回路規模をほとんど拡大することなく、ＱＡＭ方式及びＯＦＤＭ方式どちらでも復調が可能となる。
【発明を実施するための最良の形態】
【００１０】
本発明による一実施例の構成と基本動作について図１、図３を用いて説明する。図３は伝送システムの全体構成を示すブロック図であり、図１は本発明の一実施例の受信装置の復調部の構成を示すブロック図である。
【００１１】
伝送システムの全体構成を示すブロック図の図３において、映像信号はＭＰＥＧエンコーダ１１でＴＳ信号となり、ＤＶＢエンコーダ１２でＤＶＢｅ信号となり、変調部１３でＱＡＭ方式またはＯＦＤＭ方式にてデジタル変調されＤｍｏｄ信号となり、送信部１４から送信アンテナ１５経由で送信され、伝送路Ｗ１を介し、受信アンテナ１６に到達する。受信装置の受信部１７でＤｄｅｍ信号となり、復調部１８にてＤＶＢｒ信号となり、ＤＶＢデコーダ１９でＴＳｒ信号となり、ＭＰＥＧデコーダ２０で映像信号となる。
【００１２】
本発明の一実施例の受信装置の復調部の図１の復調部１８は、従来技術による受信装置の復調部の構成を示すブロック図の図２の復調部１８と同様に、ＱＡＭ同期処理部１、ＱＡＭ復調部２、及び、ＯＦＤＭ同期処理部３、ＯＦＤＭ復調部４といった２系統から成り立ち、受信装置の復調部１８に入力したＱＡＭ方式又はＯＦＤＭ方式のＤｄｅｍ信号が、ＱＡＭ同期処理部８、ＱＡＭ復調部２及び、ＯＦＤＭ同期処理部９、ＯＦＤＭ復調部４に各々に入力される。Ｄｄｅｍ信号は各々の同期処理部に同時に入力され、各々の復調信号が、復調信号切替部６で選択される。
【００１３】
本発明の一実施例の受信装置の復調部の図１と従来技術による受信装置の復調部の構成を示すブロック図の図２との相違点は、ＱＡＭ同期処理部１、ＯＦＤＭ同期処理部３において、同期捕捉可否のフラグを抽出する事と、同期捕捉部５が同期捕捉可否のフラグにより復調信号切替部６を制御して、同期捕捉した系統を接続し、同期を確立し復調が成立した方式のデジタル変調信号の復調信号を出力する事である。
【００１４】
同期捕捉可否のフラグを抽出することで、同期捕捉可能な系統の変調方式にて受信されたと判断可能であり、デジタル変調方式の自動判別部を搭載して回路規模が拡大させる必要がない。つまり、ＱＡＭ同期処理部１とＯＦＤＭ同期処理部３にて同期捕捉フラグを抽出し、同期捕捉部５で復調信号切替部６を制御する事により、回路規模をほとんど拡大することなく、受信信号がＱＡＭ方式及びＯＦＤＭ方式どちらでも復調してデコードすることにより、映像信号を出力可能となる。
【図面の簡単な説明】
【００１５】
【図１】本発明の一実施例の受信装置の復調部の構成を示すブロック図
【図２】従来技術による受信装置の復調部の構成を示すブロック図
【図３】伝送システムの全体構成を示すブロック図
【符号の説明】
【００１６】
１，８：ＱＡＭ同期処理部、２：ＱＡＭ復調部、３，９：ＯＦＤＭ同期処理部、
４：ＯＦＤＭ復調部、５：同期捕捉検出部、６：復調信号切替部、７：制御部、
１１：ＭＰＥＧエンコーダ、１２：ＤＶＢエンコーダ、
１３：変調部、１４：送信部、１５：送信アンテナ、Ｗ１：伝送路、
１６：受信アンテナ、１７：受信部、１８：復調部、
１９：ＤＶＢデコーダ、２０：ＭＰＥＧデコーダ
【図１】
2008103853.tif 000003
【図２】
2008103853.tif 000004
【図３】
2008103853.tif 000005